(57)【要約】【課題】スイッチの切替えタイミングに発生する電流の変動を抑えた、直列接続タイプの光源駆動装置、それを用いたバックライト装置および液晶表示装置を提供すること。【解決手段】直列接続された複数の発光部（１３）を駆動する光源駆動装置であって、直列接続された複数の発光部（１３）の一方の端部に接続され、発光部に定電流を供給する定電流回路部（１１）と、発光部の各々に並列に接続される複数のスイッチ部（１４）と、複数のスイッチ部の開閉状態を制御するとともに、複数のスイッチ部のいずれかが開状態から閉状態となるタイミングでは定電流の供給が停止しているように定電流回路部を制御する駆動制御部（１２）と、を備える。【選択図】図１
2011249377.tif 000002
【特許請求の範囲】
【請求項１】
直列接続された複数の発光部を駆動する光源駆動装置であって、
前記複数の発光部の一端に接続され、前記発光部に定電流を供給する定電流回路部と、
前記発光部の各々に並列に接続される複数のスイッチ部と、
前記複数のスイッチ部の開閉状態を制御する駆動制御部と、を備え、
前記駆動制御部は、前記複数のスイッチ部の少なくともいずれか１つが開状態から閉状態となるタイミングでは前記定電流の供給が停止しているように前記定電流回路部を制御する、
光源駆動装置。
【請求項２】
直列接続された前記複数の発光部の他方の端部に接続され、前記定電流回路部に加わる電圧に基づいて前記他方の端部に加える電圧を変換する電圧変換回路部と、を備えた、
請求項１記載の光源駆動装置。
【請求項３】
複数の発光エリアに対応して設けられ、直列接続された複数の発光部と、
前記複数の発光部の一端に接続され、前記発光部に定電流を供給する定電流回路部と、
前記発光部の各々に並列に接続される複数のスイッチ部と、
前記複数のスイッチの開閉状態を制御する駆動制御部と、を備え、
前記駆動制御部は、前記複数のスイッチ部の少なくともいずれか１つが開状態から閉状態となるタイミングでは前記定電流の供給が停止しているように前記定電流回路部を制御する、
バックライト装置。
【請求項４】
入力される画像信号に応じて前記発光エリア毎の発光輝度の情報である発光輝度情報を決定する輝度制御部を備え、
前記駆動制御部は、前記発光輝度情報に基づいて前記スイッチ部の開閉デューティを制御して前記発光エリアに対応する前記発光部の発光輝度を制御する、
請求項３記載のバックライト装置。
【請求項５】
前記駆動制御部は、前記スイッチ部が開状態から閉状態となるタイミングを固定し、前記スイッチ部が閉状態から開状態となるタイミングを制御することで、前記開閉デューティを制御する、
請求項４記載のバックライト装置。
【請求項６】
入力される画像信号に応じて、垂直方向位置の異なる前記発光エリア毎の発光タイミングを示す情報である発光タイミング情報を決定するスキャン制御部を備え、
前記駆動制御部は、前記発光タイミング情報に基づいて前記スイッチ部の開閉タイミングを制御する、
請求項３記載のバックライト装置。
【請求項７】
直列接続された複数の前記発光部の各々は、垂直方向位置の異なる前記発光エリアの各々に対応している、
請求項６記載のバックライト装置。
【請求項８】
前記複数の発光エリアはマトリックス状に設けられ、
直列接続された前記複数の発光部は、前記発光エリアの垂直方向の一列に対応している、
請求項３記載のバックライト装置。
【請求項９】
垂直方向に並べられた複数の導光板を備え、
前記導光板の各々の端面から光を入射させるように前記発光部が設けられ、当該導光板の主面が前記発光エリアを形成する、
請求項３記載のバックライト装置。
【請求項１０】
前記発光部は、直列接続された複数の発光ダイオードからなる、
請求項３記載のバックライト装置。
【請求項１１】
請求項３乃至１０記載のバックライト装置と、
前記バックライト装置から出射した光を背面から入射して変調し、画像を表示する液晶パネルと、を備えた、
液晶表示装置。
【発明の詳細な説明】
【技術分野】
【０００１】
本発明は、光源駆動装置、および光源駆動装置を用いるバックライト装置、液晶表示装置に関する。
【背景技術】
【０００２】
近年、液晶表示装置のバックライト用の光源として、発光ダイオード（ＬＥＤ：Ｌｉｇｈｔ  Ｅｍｉｔｔｉｎｇ  Ｄｉｏｄｅ）が用いられている。一般的に、バックライト用にＬＥＤを用いる場合、多くの数のＬＥＤを駆動する必要がある。ＬＥＤを駆動する方法として、個々に定電流源を直列接続した複数のＬＥＤを、並列接続する方法が知られている（例えば、特許文献１参照）。また、一つの定電流源に複数のＬＥＤを直列接続する方法が知られている（例えば、特許文献２参照）。
【０００３】
ＬＥＤを並列接続する方法では、ＬＥＤの持つ順方向電圧Ｖｆのばらつきにより、定電流源で損失が発生する。特許文献１では、定電流源に加わる電圧の最小値を検出して電源電圧を制御することで、その損失を最小限に抑えている。しかし、ＬＥＤの数が増えた場合には、損失を抑えることが難しい。また、ＬＥＤを並列接続する方法では、ＬＥＤの数に応じて必要な電流が増大する。従って、発熱の観点でも好ましくない。また、必要なトランスも大きなものとなるため、表示装置に用いる場合に求められる小型・薄型化の観点でも好ましくない。
【０００４】
一方、ＬＥＤを直列接続する方法では、上述したような並列接続による方法の課題を低減することができる。しかし、個々のＬＥＤの発光・消灯を制御することができない。特許文献２では、各ＬＥＤと並列にスイッチを設けることで、個々のＬＥＤの発光・消灯制御を可能としている。
【先行技術文献】
【特許文献】
【０００５】
【特許文献１】特開２００３−３３２６２４号公報
【特許文献２】特開２００８−２９４２３２号公報
【発明の概要】
【発明が解決しようとする課題】
【０００６】
しかし、特許文献２のように各ＬＥＤと並列にスイッチを設けて発光・消灯制御を行う場合、以下のような課題がある。すなわち、スイッチが開状態から閉状態に切り替えられた瞬間は、負荷が急激に小さくなる。このとき、スイッチが開状態にあるＬＥＤ（電流が流れているＬＥＤ）に、瞬間的に大きな突入電流が流れる。このような突入電流は、ＬＥＤを破損したり、寿命を低下したりする恐れがあり、好ましくない。
【０００７】
本発明は、上記課題に鑑みてなされたものであり、スイッチの切替えタイミングに発生する電流の変動を抑えた、直列接続タイプの光源駆動装置、それを用いたバックライト装置および液晶表示装置を提供することを目的とする。
【課題を解決するための手段】
【０００８】
上記目的を達成するために、本発明に係る光源駆動装置は、直列接続された複数の発光部を駆動する光源駆動装置であって、前記複数の発光部の一端に接続され、前記発光部に定電流を供給する定電流回路部と、前記発光部の各々に並列に接続される複数のスイッチ部と、前記複数のスイッチ部の開閉状態を制御する駆動制御部と、を備え、前記駆動制御部は、前記複数のスイッチ部の少なくともいずれか１つが開状態から閉状態となるタイミングでは前記定電流の供給が停止しているように前記定電流回路部を制御する、構成を採る。
【０００９】
また、本発明に係るバックライト装置は、複数の発光エリアに対応して設けられ、直列接続された複数の発光部と、前記複数の発光部の一端に接続され、前記発光部に定電流を供給する定電流回路部と、前記発光部の各々に並列に接続される複数のスイッチ部と、前記複数のスイッチの開閉状態を制御する駆動制御部と、を備え、前記駆動制御部は、前記複数のスイッチ部の少なくともいずれか１つが開状態から閉状態となるタイミングでは前記定電流の供給が停止しているように前記定電流回路部を制御する、構成を採る。
【００１０】
また、本発明に係る液晶表示装置は、前記バックライト装置と、前記バックライト装置から出射した光を背面から入射して変調し、画像を表示する液晶パネルと、を備える。
【発明の効果】
【００１１】
本発明によれば、スイッチの切替えタイミングに発生する電流の変動を抑えた、直列接続タイプの光源駆動装置、それを用いたバックライト装置および液晶表示装置を提供することができる。
【図面の簡単な説明】
【００１２】
【図１】実施の形態１に係る光源駆動装置の構成を示すブロック図
【図２】実施の形態１に係る光源駆動装置の動作を示すタイミングチャート
【図３】実施の形態１の変形例に係る光源駆動装置の構成を示すブロック図
【図４】本実施の形態２に係るバックライト装置および液晶表示装置の構成を示すブロック図
【図５】液晶パネルの画像エリアと面状照明部の発光エリアの対応を説明するための説明図
【図６】実施の形態２におけるＬＥＤドライバの構成を示すブロック図
【図７】実施の形態２におけるＬＥＤドライバの動作を示すタイミングチャート
【図８】輝度制御部を用いない場合のタイミングチャート
【図９】スキャン制御部を用いない場合のタイミングチャート
【図１０】実施の形態３に係るバックライト装置および液晶表示装置の構成を示すブロック図
【図１１】実施の形態３におけるＬＥＤドライバの構成を示すブロック図
【図１２】実施の形態４に係るバックライト装置および液晶表示装置の構成を示すブロック図
【図１３】実施の形態４におけるＬＥＤドライバの構成を示すブロック図
【図１４】実施の形態４の別の構成例を示す構成図
【発明を実施するための形態】
【００１３】
（実施の形態１）
本発明の実施の形態１に係る光源駆動装置について、図１および図２を用いて説明する。
【００１４】
＜１−１．光源駆動装置の構成＞
図１は、本実施の形態に係る光源駆動装置１の構成を示すブロック図である。光源駆動装置１は、直列接続された４つの発光部１３Ａ〜１３Ｄを駆動する駆動装置である。発光部１３Ａ〜１３Ｄの各々は、光源である発光ダイオードが４つ直列接続されて構成されている。なお、発光部の数は適宜変更可能であり、４つ以上でも４つ以下でもかまわない。また、各発光部を構成する発光ダイオードの数も適宜変更可能であり、各々が少なくとも１つの光源から構成される。
【００１５】
光源駆動装置１は、定電流回路部１１と、駆動制御部１２と、４つのＦＥＴスイッチ１４Ａ〜１４Ｄとを備えている。ＦＥＴスイッチ１４Ａ〜１４Ｄは、それぞれスイッチ部の一例である。光源駆動装置１は、発光部１３Ａ〜１３Ｄの端部である点Ｐ（発光部１３Ａのアノード端）に電源電圧Ｖｉｎを印加している。
【００１６】
定電流回路部１１は、直列接続された複数の発光部１３Ａ〜１３Ｄのもう一方の端部である点Ｑ（発光部１３Ｄのカソード端）に接続される。定電流回路部１１は、発光部１３Ａ〜１３Ｄに定電流を供給する。定電流回路部１１は、ＦＥＴスイッチ１４Ａ〜１４Ｄの開閉動作によって発光部１３Ａ〜１３Ｄの負荷状態が変化しても、定電流を負荷に供給し続けるように動作する。
【００１７】
ＦＥＴスイッチ１４Ａ〜１４Ｄは、発光部１３Ａ〜１３Ｄの各々に並列に接続される。具体的には、ＦＥＴスイッチ１４Ａは発光部１３Ａと並列に、ＦＥＴスイッチ１４Ｂは発光部１３Ｂと並列に、ＦＥＴスイッチ１４Ｃは発光部１３Ｃと並列に、ＦＥＴスイッチ１４Ｄは発光部１３Ｄと並列に、それぞれ接続される。ＦＥＴスイッチ１４Ａは、閉状態（オン状態）となるとドレイン・ソース間に電流が流れて、発光部１３Ａを流れる電流をバイパスする。すなわち、ＦＥＴスイッチ１４Ａが閉状態となると発光部１３Ａは消灯する。ＦＥＴスイッチ１４Ａは、開状態（オフ状態）となるとドレイン・ソース間に電流が流れず、発光部１３Ａを電流が流れる。すなわち、ＦＥＴスイッチ１４Ａが開状態となると発光部１３Ａは発光する。ＦＥＴスイッチ１４Ｂ〜１４Ｄと、発光部１３Ｂ〜１３Ｄにおいても同様である。
【００１８】
駆動制御部１２は、ＦＥＴスイッチ１４Ａ〜１４Ｄの開閉状態を制御する。具体的には、ＦＥＴスイッチ１４Ａ〜１４Ｄへのゲート電圧の印加を制御することで、ＦＥＴスイッチ１４Ａ〜１４Ｄの開閉状態を制御する。また、駆動制御部１２は、定電流回路部１２の定電流供給動作を制御する。具体的には、駆動制御部１２は、ＦＥＴスイッチ１４Ａ〜１４Ｄの少なくともいずれか１つが開状態から閉状態となるタイミングでは、定電流の供給が停止しているように定電流回路部１２を制御する。より詳細には、駆動制御部１２は、ＦＥＴスイッチ１４Ａ〜１４Ｄの少なくともいずれか１つが開状態から閉状態となるタイミングよりもわずかに前に、定電流の供給を停止させるように定電流回路部１２を制御する。また、駆動制御部１２は、ＦＥＴスイッチ１４Ａ〜１４Ｄの少なくともいずれか１つが開状態から閉状態となるタイミングよりもわずかに後に、定電流の供給を開始させるように定電流回路部１２を制御する。結果として、ＦＥＴスイッチ１４Ａ〜１４Ｄの少なくともいずれか１つが開状態から閉状態となるタイミングでは、定電流の供給が停止している。
【００１９】
＜１−２．光源駆動装置の動作＞
図２は、光源駆動装置１の動作の一例を示すタイミングチャートである。図２（ａ）は、ＦＥＴスイッチ１４Ａの開閉タイミングを、図２（ｂ）は、ＦＥＴスイッチ１４Ｂの開閉タイミングを、図２（ｃ）は、ＦＥＴスイッチ１４Ｃの開閉タイミングを、図２（ｄ）は、ＦＥＴスイッチ１４Ｄの開閉タイミングを、それぞれ示している。図２（ａ）〜（ｄ）中の「ＯＮ」は、各ＦＥＴスイッチの閉状態を意味する。すなわち、各発光部の消灯状態を意味する。また、図２（ａ）〜（ｄ）中の「ＯＦＦ」は、各ＦＥＴスイッチの開状態を意味する。すなわち、各発光部の発光状態を意味する。図２（ｅ）は、定電流回路部１１の定電流の供給・停止タイミングを示している。図２（ｅ）中の「ＯＮ」は、定電流が供給されている状態を意味する。また、図２（ｅ）中の「ＯＦＦ」は、定電流の供給が停止されている状態を意味する。
【００２０】
図２（ａ）に示すように、ＦＥＴスイッチ１４Ａは、時刻ｔ２で開状態（ＯＦＦ）から閉状態（ＯＮ）となり、時刻ｔ３で閉状態（ＯＮ）から開状態（ＯＦＦ）となるように、駆動制御部１２によって制御されている。従って、図２（ａ）において、ＦＥＴスイッチ１４Ａが開状態から閉状態となるタイミングは、時刻ｔ２である。
【００２１】
次に、図２（ｂ）に示すように、ＦＥＴスイッチ１４Ｂは、時刻ｔ４で開状態（ＯＦＦ）から閉状態（ＯＮ）となり、時刻ｔ６で閉状態（ＯＮ）から開状態（ＯＦＦ）となり、さらに時刻ｔ７で開状態（ＯＦＦ）から閉状態（ＯＮ）となるように、駆動制御部１２によって制御されている。従って、図２（ｂ）において、ＦＥＴスイッチ１４Ｂが開状態から閉状態となるタイミングは、時刻ｔ４と時刻ｔ７である。
【００２２】
次に、図２（ｃ）に示すように、ＦＥＴスイッチ１４Ｃは、時刻ｔ１で閉状態（ＯＮ）から開状態（ＯＦＦ）となり、時刻ｔ５で開状態（ＯＦＦ）から閉状態（ＯＮ）となり、さらに時刻ｔ８で閉状態（ＯＮ）から開状態（ＯＦＦ）となるように、駆動制御部１２によって制御されている。従って、図２（ｃ）において、ＦＥＴスイッチ１４Ｃが開状態から閉状態となるタイミングは、時刻ｔ５である。
【００２３】
次に、図２（ｄ）に示すように、ＦＥＴスイッチ１４Ｄは、時刻ｔ９で開状態（ＯＦＦ）から閉状態（ＯＮ）となるように、駆動制御部１２によって制御されている。従って、図２（ｄ）において、ＦＥＴスイッチ１４Ｄが開状態から閉状態となるタイミングは、時刻ｔ９である。
【００２４】
上述したようなタイミングで、各ＦＥＴスイッチは開閉状態が切り替わる。このとき、図２（ｅ）に示すように、定電流回路部１１は、時刻ｔ２、時刻ｔ４、時刻ｔ５、時刻ｔ７、時刻ｔ９、では、定電流の供給が停止（ＯＦＦ）しているように、駆動制御部１２によって制御されている。すなわち、ＦＥＴスイッチ１４Ａ〜１４Ｄのいずれかが開状態から閉状態となるタイミングでは、定電流の供給が停止している。
【００２５】
定電流回路部１１が定電流の供給を停止しない場合、ＦＥＴスイッチ１４Ａ〜１４Ｄのいずれかが開状態から閉状態となると、急激な負荷変動に伴った突入電流が流れる。しかし、本実施の形態の光源駆動装置１は、ＦＥＴスイッチ１４Ａ〜１４Ｄのいずれかが開状態から閉状態となるタイミングでは、定電流の供給が停止している。そのため、ＦＥＴスイッチ１４Ａ〜１４Ｄのいずれかが開状態から閉状態となるタイミングで発生する急激な電流の変動を抑制することができる。なお、全てのＦＥＴスイッチ１４Ａ〜１４Ｄが閉状態（全ての発光部１３Ａ〜１３Ｄが消灯状態）である場合には、定電流回路部１１は、定電流の供給を停止する。
【００２６】
なお、本実施の形態において、光源として発光ダイオードを用いているが、これに限られない。例えば、電流駆動のレーザ光源等を用いてもよい。要するに、電流駆動タイプの光源であれば、他のものを用いてもよい。
【００２７】
（変形例）
光源駆動装置１の変形例について、図３を用いて説明する。本変形例に係る光源駆動装置２は、電圧変換回路部１５を備えている点で、光源駆動装置１と異なる。他の構成は同様であり、説明を省略する。
【００２８】
図３は、本変形例に係る光源駆動装置２の構成を示すブロック図である。光源駆動装置２は、電圧変換回路部１５を備えている。
【００２９】
電圧変換回路部１５は、直列接続された発光部１３Ａ〜１３Ｄの端部である点Ｐ（発光部１３Ａのアノード端）に電源電圧Ｖｉｎから変換した変換電圧を印加するＤＣ／ＤＣコンバータである。電圧変換回路部１５は、定電流回路部１１に加わる電圧（発光部１３Ａ〜１３Ｄのもう一方の端部である点Ｑ（発光部１３Ｄのカソード端）の電圧）を検出する。そして、電圧変換回路部１５は、検出した電圧が所定の基準電圧と等しくなるように、印加する電圧を変換する。
【００３０】
発光部１３Ａ〜１３Ｄの端部である点Ｐに一定の電圧を印加する場合、ＦＥＴスイッチ１４Ａ〜１４Ｄのいずれかが開状態から閉状態となると、定電流回路部１１に不要な電圧が加わることになる。すなわち、光源駆動装置の電力損失が増加する。しかし、本変形例の光源駆動装置２は、電圧変換回路１５を有することで、負荷の変動状態に応じた最小限の電圧を加えることができる。結果として、実施の形態１の光源駆動装置に比べて電力損失を低減させることができる。
【００３１】
（実施の形態２）
本発明の実施の形態２に係るバックライト装置および液晶表示装置について、図４乃至図９を用いて説明する。
【００３２】
＜２−１．バックライト装置および液晶表示装置の構成＞
図４は、本実施の形態に係るバックライト装置１００を備えた液晶表示装置１０の構成を示すブロック図である。液晶表示装置１０は、バックライト装置１００と、バックライト装置１００から出射した光を背面から入射して変調し、画像を表示する液晶パネル２００と、を備えている。液晶パネル２００は、垂直方向に設けられるソース線（図示せず）と、水平方向に設けられるゲート線（図示せず）との交点位置にマトリックス状に画素が構成されている。ここで、垂直方向とは液晶表示装置の視聴状態における画面の上下方向であり、水平方向とは画面の左右方向である。液晶表示装置１は、液晶パネル２００を駆動するソースドライバ３００と、ゲートドライバ４００を有している。また、ソースドライバ３００と、ゲートドライバ４００とを制御する液晶コントローラ５００を有している。
【００３３】
液晶コントローラ５００は、画像信号を入力し、ソースドライバ３００とゲートドライバ４００に対して表示画像のデータ電位や水平・垂直同期信号等を出力する。ソースドライバ３００は、液晶パネル２００のラインごとのデータ電位をソース線に順次供給する。ゲートドライバ４００は、水平方向に設けられたゲート線を垂直方向に順次駆動していくことで画像を走査する。
【００３４】
液晶パネル２００の画像表示を行うエリア（以下「画像エリア」と呼ぶ）は、４行４列の局所的な複数の画像エリアからなる。各画像エリアは、複数の画素を有している。ここで、図４において液晶パネル２００の画像エリアが破線で区切られているが、これは、液晶パネル２００が複数の画像エリアを有することを明示するものである。従って、液晶パネル２００が構造的に分割されていたり画像中にこれらの線が表示されたりすることを意味するものではない。
【００３５】
バックライト装置１００は、面状照明部１１０と、ＬＥＤドライバ１２０と、輝度制御部１３０と、スキャン制御部１４０と、駆動制御部１５０とを備えている。ＬＥＤドライバ１２０と駆動制御部１５０とが、光源駆動装置を構成する。
【００３６】
面状照明部１１０は、液晶パネル２００に画像を表示させるための照明光を発光し、液晶パネル２００の背面側から液晶パネル２００に照明光を照射する。
【００３７】
面状照明部１１０において光を発光するエリア（以下「発光エリア」と呼ぶ）は、４行４列のマトリックス状に設けられた、局所的な複数の発光エリアからなる。各発光エリアは、４つのＬＥＤからなる発光部の作用によって形成されている。本実施の形態の面状照明部１１０は、いわゆる直下型の構成を採るものであり、液晶パネル２００の背面に対向配置され、液晶パネル２００の背面に沿ってＬＥＤが平面状に並べて配置されることにより構成されている。
【００３８】
図５は、液晶パネル２００の画像エリアと面状照明部１１０の発光エリアの対応を説明するための説明図である。図５（ａ）は、画像エリアを示しており、画像エリアの符号は、行方向位置を小文字のアルファベットａ〜ｄで、列方向位置を数字の１〜４で、それぞれ示す。例えば、ａ行１列目の画像エリアは画像エリアａ１である。図５（ｂ）は、発光エリアを示しており、発光エリアの符号は、行方向位置を大文字のアルファベットＡ〜Ｄで、列方向位置を数字の１〜４で、それぞれ示す。例えば、Ａ行１列目の発光エリアは発光エリアＡ１である。また、同一行に含まれる発光エリアをまとめてスキャンエリアと呼ぶ。スキャンエリアの符号は、大文字のアルファベットＡ〜Ｄでしめす。例えば、Ａ行のスキャンエリアはスキャンエリアＡである。
【００３９】
発光エリアＡ１〜Ａ４は、画像エリアａ１〜ａ４をそれぞれ照明する。発光エリアＢ１〜Ｂ４は、画像エリアｂ１〜ｂ４をそれぞれ照明する。発光エリアＣ１〜Ｃ４は、画像エリアｃ１〜ｃ４をそれぞれ照明する。発光エリアＤ１〜Ｄ４は、画像エリアｄ１〜ｄ４をそれぞれ照明する。
【００４０】
輝度制御部１３０は、入力される画像信号に応じて発光エリア毎の発光輝度の情報である発光輝度情報を決定する。本実施の形態において、発光輝度情報は、各発光エリアの発光輝度を示す発光デューティ値である。ここで、本実施の形態における発光デューティ値の最大値は５０％であり、最小値は０％である。つまり、各発光エリアを最大輝度で発光させる場合には、発光デューティ値が５０％とされ、各発光エリアを消灯させる場合には、発光デューティ値が０％とされる。発光輝度情報は、対応する画像エリアの画像信号に基づいて決定され、例えば、画像エリア内の画素の平均輝度値、ピーク輝度値等に基づいて決定される。なお、発光デューティ値とは、１フレーム期間における発光期間の比率である。
【００４１】
スキャン制御部１４０は、入力される画像信号に応じて、垂直方向位置の異なる発光エリア毎の発光タイミングを示す情報である発光タイミング情報を決定する。すなわち、スキャン制御部１４０は、入力される画像信号に応じて、スキャンエリアＡ〜Ｄの各発光タイミングを示す情報である発光タイミング情報を決定する。スキャンエリアＡ〜Ｄは、液晶パネル２００の画像の走査に同期した発光タイミング情報によって、発光を制御される。
【００４２】
液晶パネル２００は、画素に信号電圧が印加された後も、液晶が完全に応答するまでに時間がかかる。従って、液晶の応答を待たずに対応する発光エリアが発光した場合には、いわゆる動画ボケが発生し、好ましくない。スキャン制御部１４０は、スキャンエリアＡ〜Ｄ毎の発光タイミングを、対応する画像エリアへの書き込みの完了後所定時間以上あけてから発光するように制御している。このようにすることで動画ボケを低減することができる。本実施の形態においては、スキャン制御部１４０は、１画面の走査に要する期間を１フレーム期間とすると、スキャンエリアＡ〜Ｄにそれぞれ対応する画像エリアへの書き込みの完了後、１／４フレーム期間以上遅れてスキャンエリアＡ〜Ｄが発光を開始するように発光タイミング情報を決定する。発光タイミング情報は、スキャンエリアの数や液晶の応答性能に応じて適宜調整することができる。
【００４３】
駆動制御部１５０は、輝度制御部１３０からの発光輝度情報（発光デューティ値）と、スキャン制御部１４０からの発光タイミング情報とに基づいて、ＬＥＤドライバ１２０の駆動を制御する。具体的には、駆動制御部１５０は、発光輝度情報と発光タイミング情報とに基づいて、ＬＥＤドライバ１２０が有するスイッチ部や定電流回路部の動作を制御する。詳細は後述する。
【００４４】
ＬＥＤドライバ１２０は、各発光エリアに対応して設けられる発光部を駆動する。図６は、ＬＥＤドライバ１２０の構成を示すブロック図である。なお、図６における定電流回路部１２０１〜１２０４、電圧変換回路部１２１１〜１２１４、およびＦＥＴスイッチＳＡ１〜ＳＡ４、ＳＢ１〜ＳＢ４、ＳＣ１〜ＳＣ４、ＳＤ１〜ＳＤ４が、ＬＥＤドライバ１２０を構成している。
【００４５】
各々が４つのＬＥＤからなる発光部ＬＡ１、ＬＢ１、ＬＣ１、ＬＤ１は、直列に接続されている。発光部ＬＡ１、ＬＢ１、ＬＣ１、ＬＤ１は、発光エリアＡ１、Ｂ１、Ｃ１、Ｄ１にそれぞれ対応している。ＦＥＴスイッチＳＡ１、ＳＢ１、ＳＣ１、ＳＤ１は、発光部ＬＡ１、ＬＢ１、ＬＣ１、ＬＤ１にそれぞれ並列に設けられている。定電流回路部１２０１は、発光部ＬＡ１、ＬＢ１、ＬＣ１、ＬＤ１のカソード端に接続されている。また電圧変換回路部１２１１は、発光部ＬＡ１、ＬＢ１、ＬＣ１、ＬＤ１のアノード端に接続されている。定電流回路部１２０１、電圧変換回路部１２１１は、実施の形態１の変形例で示したものと同様である。このように、面状照明部１１０の１列目の発光エリアに対応して、実施の形態１の変形例で示す光源駆動装置と同様の構成が設けられている。
【００４６】
同様に、各々が４つのＬＥＤからなる発光部ＬＡ２、ＬＢ２、ＬＣ２、ＬＤ２は、直列に接続されている。発光部ＬＡ２、ＬＢ２、ＬＣ２、ＬＤ２は、発光エリアＡ２、Ｂ２、Ｃ２、Ｄ２にそれぞれ対応している。ＦＥＴスイッチＳＡ２、ＳＢ２、ＳＣ２、ＳＤ２は、発光部ＬＡ２、ＬＢ２、ＬＣ２、ＬＤ２にそれぞれ並列に設けられている。定電流回路部１２０２は、発光部ＬＡ２、ＬＢ２、ＬＣ２、ＬＤ２のカソード端に接続されている。また電圧変換回路部１２１２は、発光部ＬＡ２、ＬＢ２、ＬＣ２、ＬＤ２のアノード端に接続されている。定電流回路部１２０１、電圧変換回路部１２１１は、実施の形態１の変形例で示したものと同様である。このように、面状照明部１１０の２列目の発光エリアに対応して、実施の形態１の変形例で示す光源駆動装置と同様の構成が設けられている。
【００４７】
同様に、各々が４つのＬＥＤからなる発光部ＬＡ３、ＬＢ３、ＬＣ３、ＬＤ３は、直列に接続されている。発光部ＬＡ３、ＬＢ３、ＬＣ３、ＬＤ３は、発光エリアＡ３、Ｂ３、Ｃ３、Ｄ３にそれぞれ対応している。ＦＥＴスイッチＳＡ３、ＳＢ３、ＳＣ３、ＳＤ３は、発光部ＬＡ３、ＬＢ３、ＬＣ３、ＬＤ３にそれぞれ並列に設けられている。定電流回路部１２０３は、発光部ＬＡ３、ＬＢ３、ＬＣ３、ＬＤ３のカソード端に接続されている。また電圧変換回路部１２１３は、発光部ＬＡ３、ＬＢ３、ＬＣ３、ＬＤ３のアノード端に接続されている。定電流回路部１２０３、電圧変換回路部１２１３は、実施の形態１の変形例で示したものと同様である。このように、面状照明部１１０の３列目の発光エリアに対応して、実施の形態１の変形例で示す光源駆動装置と同様の構成が設けられている。
【００４８】
同様に、各々が４つのＬＥＤからなる発光部ＬＡ４、ＬＢ４、ＬＣ４、ＬＤ４は、直列に接続されている。発光部ＬＡ４、ＬＢ４、ＬＣ４、ＬＤ４は、発光エリアＡ４、Ｂ４、Ｃ４、Ｄ４にそれぞれ対応している。ＦＥＴスイッチＳＡ４、ＳＢ４、ＳＣ４、ＳＤ４は、発光部ＬＡ４、ＬＢ４、ＬＣ４、ＬＤ４にそれぞれ並列に設けられている。定電流回路部１２０４は、発光部ＬＡ４、ＬＢ４、ＬＣ４、ＬＤ４のカソード端に接続されている。また電圧変換回路部１２１４は、発光部ＬＡ４、ＬＢ４、ＬＣ４、ＬＤ４のアノード端に接続されている。定電流回路部１２０４、電圧変換回路部１２１４は、実施の形態１の変形例で示したものと同様である。このように、面状照明部１１０の４列目の発光エリアに対応して、実施の形態１の変形例で示す光源駆動装置と同様の構成が設けられている。
【００４９】
駆動制御部１５０は、全てのＦＥＴスイッチの開閉状態を制御する。駆動制御部１５０は、同列中のＦＥＴスイッチのいずれかが開状態から閉状態となるタイミングでは、当該列の定電流回路部による定電流の供給が停止しているように各々の定電流回路部を制御する。より詳細には、駆動制御部１５０は、同列中のＦＥＴスイッチのいずれかが開状態から閉状態となるタイミングよりもわずかに前に、定電流の供給を停止させるように各定電流回路部を制御する。また、駆動制御部１５０は、同列中のＦＥＴスイッチのいずれかが開状態から閉状態となるタイミングよりもわずかに後に、定電流の供給を開始させるように各定電流回路部を制御する。結果として、同列中のＦＥＴスイッチのいずれかが開状態から閉状態となるタイミングでは、定電流の供給が停止している
【００５０】
駆動制御部１５０は、入力される発光輝度情報である発光エリア毎の発光デューティ値に基づいて、全てのＦＥＴスイッチの開閉デューティを制御して各発光部の発光輝度を制御する。また、駆動制御部１５０は、各ＦＥＴスイッチが開状態から閉状態となるタイミングを固定し、ＦＥＴスイッチが閉状態から開状態となるタイミングを制御することで、開閉デューティを制御する。また、駆動制御部１５０は、入力される発光タイミング情報に基づいて、各ＦＥＴスイッチ部の開閉タイミングを制御する。具体的には、駆動制御部１５０は、同一行に属するＦＥＴスイッチ、すなわち、同じスキャンエリアに属するＦＥＴスイッチを、対応する画像エリアへの書き込みの完了後１／４フレーム期間以上遅れて閉状態から開状態となるように制御する。なお、同一スキャンエリアでの各ＦＥＴスイッチが開状態から閉状態となるタイミングは同じである。また、駆動制御部１５０は、液晶パネル２００の画像走査に同期して、各ＦＥＴスイッチが開状態から閉状態となるタイミングを、スキャンエリア毎に１／４フレーム期間ずつ遅れるように制御する。
【００５１】
上記のような構成を有するバックライト装置１００および液晶表示装置１０の動作について、具体的なＬＥＤドライバ１２０の動作に基づいて説明する。
【００５２】
＜２−２．バックライト装置１００および液晶表示装置の動作＞
図７は、ＬＥＤドライバ１２０の動作の一例を示すタイミングチャートである。図７（ａ）は、ＦＥＴスイッチＳＡ１の開閉タイミングを、図７（ｂ）は、ＦＥＴスイッチＳＢ１の開閉タイミングを、図７（ｃ）は、ＦＥＴスイッチＳＣ１の開閉タイミングを、図７（ｄ）は、ＦＥＴスイッチＳＤ１の開閉タイミングを、それぞれ示している。図７（ｅ）は、定電流回路部１２０１の定電流の供給・停止タイミングを示している。図７（ｆ）は、液晶パネル２００に入力される垂直同期信号を示している。図７（ｆ）のＦ１〜Ｆ３は、それぞれ連続するフレーム期間を表している。このように、図７は、面状照明部１１０のうち、１列目に対応した部分のみを抽出して示している。他の列に対応した部分についての動作の説明は省略するが、１列目の動作と同様である。
【００５３】
図７に示す一例においては、輝度制御部１３０で決定された発光部ＬＡ１、ＬＢ１、ＬＣ１、ＬＤ１の発光デューティ値は、それぞれ５０％、２５％、３７．５％、１２．５％であるとする。また、連続するフレームＦ１〜Ｆ３で、発光デューティ値が変化しないものとする。もちろん、連続するフレームＦ１〜Ｆ３で、発光デューティ値が変化してもよい。
【００５４】
図７（ａ）に示すように、ＦＥＴスイッチＳＡ１は、開状態（ＯＦＦ状態）の期間、すなわち発光部ＬＡ１が発光する期間が、発光デューティ値である５０％となるように開閉状態が制御されている。このとき、ＦＥＴスイッチＳＡ１が開状態（ＯＦＦ状態）から閉状態（ＯＮ状態）となるタイミングは、各フレームの開始タイミング（各フレームの終了タイミングでもある）で固定されている。また、ＦＥＴスイッチＳＡ１が閉状態から開状態となるタイミングは、発光デューティ値に基づいて制御される。
【００５５】
次に、図７（ｂ）に示すように、ＦＥＴスイッチＳＢ１は、開状態（ＯＦＦ状態）の期間、すなわち発光部ＬＢ１が発光する期間が、発光デューティ値である２５％となるように開閉状態が制御されている。このとき、ＦＥＴスイッチＳＢ１が開状態（ＯＦＦ状態）から閉状態（ＯＮ状態）となるタイミングは、各フレームの開始タイミングから１／４フレーム期間遅れたタイミングで固定されている。また、ＦＥＴスイッチＳＢ１が閉状態から開状態となるタイミングは、発光デューティ値に基づいて制御される。
【００５６】
次に、図７（ｃ）に示すように、ＦＥＴスイッチＳＣ１は、開状態（ＯＦＦ状態）の期間、すなわち発光部ＬＣ１が発光する期間が、発光デューティ値である３７．５％となるように開閉状態が制御されている。このとき、ＦＥＴスイッチＳＣ１が開状態（ＯＦＦ状態）から閉状態（ＯＮ状態）となるタイミングは、各フレームの開始タイミングから１／２フレーム期間遅れたタイミングで固定されている。また、ＦＥＴスイッチＳＣ１が閉状態から開状態となるタイミングは、発光デューティ値に基づいて制御される。
【００５７】
次に、図７（ｄ）に示すように、ＦＥＴスイッチＳＤ１は、開状態（ＯＦＦ状態）の期間、すなわち発光部ＬＤ１が発光する期間が、発光デューティ値である１２．５％となるように開閉状態が制御されている。このとき、ＦＥＴスイッチＳＤ１が開状態（ＯＦＦ状態）から閉状態（ＯＮ状態）となるタイミングは、各フレームの開始タイミングから３／４フレーム期間遅れたタイミングで固定されている。また、ＦＥＴスイッチＳＤ１が閉状態から開状態となるタイミングは、発光デューティ値に基づいて制御される。
【００５８】
上述したようなタイミングで、各ＦＥＴスイッチは開閉状態が切り替わる。このとき、図７（ｅ）に示すように、定電流回路部１２０１は、フレームの開始タイミングから１／４フレーム期間毎に定電流の供給が停止（ＯＦＦ）しているように、駆動制御部１５０によって制御されている。すなわち、ＦＥＴスイッチＳＡ１〜ＳＤ１のいずれかが開状態から閉状態となるタイミングでは、定電流の供給が停止している。
【００５９】
定電流回路部１２０１が定電流の供給を停止しない場合、ＦＥＴスイッチＳＡ１〜ＳＤ１のいずれかが開状態から閉状態となると、急激な負荷変動に伴った突入電流が流れる。しかし、上述した制御によって、急激な電流の変動を抑制することができる。
【００６０】
また、本実施の形態においては、駆動制御部１５０は、各ＦＥＴスイッチが開状態から閉状態となるタイミングを固定し、ＦＥＴスイッチ部が閉状態から開状態となるタイミングを制御することで、発光デューティ値に基づく開閉デューティを制御する。このような構成にすると、発光デューティ値が変化したとしても、各ＦＥＴスイッチが開状態から閉状態となるタイミングは変化しない。従って、定電流回路部１２０１が定電流の供給を停止すべきタイミングが、画像信号によらず周期的となる。結果として、駆動制御部１５０の制御が容易となる。
【００６１】
また、本実施の形態においては、直列接続された発光部は、列方向（液晶パネル２００の画面垂直方向）に異なる発光エリアに対応している。すなわち、直列接続された各発光部は、それぞれ異なるスキャンエリアに属するように構成されている。一方、直列接続された発光部を行方向（液晶パネル２００の画面垂直方向）に異なる発光エリアに対応させることもできる。すなわち、直列接続された各発光部は、同一のスキャンエリアに属するように構成することもできる。ただし、直列接続された各発光部を同一のスキャンエリアに属するような構成にすると、直列接続された全ての発光部が同時に発光しない期間が所定時間以上存在する構成となる。全ての発光部が同時に発光しない場合には、定電流回路部は定電流を供給する必要は無く、定電流の供給を停止する。したがって、定電流の供給と停止の変動が大きくなり、ノイズの観点からは好ましくない。本実施の形態のように、直列接続された各発光部をそれぞれ異なるスキャンエリアに属するように構成することで、電流の変動を低減することができる。
【００６２】
なお、本実施の形態のバックライト装置および液晶表示装置は、輝度制御部１３０とスキャン制御部１４０とをどちらも用いる構成としたが、一方だけを用いることもできる。図８は、輝度制御部１３０を用いない（発光でデューティ値が５０％で一定）場合におけるＬＥＤドライバ１２０の動作の一例を示すタイミングチャートである。このような構成では、発光エリア毎の輝度制御はできないため、表示画像のコントラストが低下したり、消費電力が増加したりするが、本発明の目的は本実施の形態と同様に得ることができる。
【００６３】
図８に示す一例においては、輝度制御部１３０で決定された発光部ＬＡ１、ＬＢ１、ＬＣ１、ＬＤ１の発光デューティ値は、５０％で一定である。すなわち、発光部毎の輝度制御は行っていない。
【００６４】
図８（ｅ）に示すように、輝度制御部１３０を用いた場合と同様に、定電流回路部１２０１は、フレームの開始タイミングから１／４フレーム期間毎に定電流の供給が停止（ＯＦＦ）しているように、駆動制御部１５０によって制御されている。すなわち、ＦＥＴスイッチＳＡ１〜ＳＤ１のいずれかが開状態から閉状態となるタイミングでは、定電流の供給が停止している。
【００６５】
定電流回路部１２０１が定電流の供給を停止しない場合、ＦＥＴスイッチＳＡ１〜ＳＤ１のいずれかが開状態から閉状態となると、急激な負荷変動に伴った突入電流が流れる。しかし、上述した制御によって、急激な電流の変動を抑制することができる。
【００６６】
また、図９は、スキャン制御部１４０を用いない（スキャンエリア毎のタイミング制御を行わない）場合におけるＬＥＤドライバ１２０の動作の一例を示すタイミングチャートである。このような構成では、動画ボケの低減効果が低下するが、本発明の目的は本実施の形態と同様に得ることができる。
【００６７】
図９に示す一例においては、輝度制御部１３０で決定された発光部ＬＡ１、ＬＢ１、ＬＣ１、ＬＤ１の発光デューティ値は、それぞれ１００％、５０％、７５％、２５％であるとする。また、連続するフレームＦ１〜Ｆ３で、発光デューティ値が変化しないものとする。もちろん、連続するフレームＦ１〜Ｆ３で、発光デューティ値が変化してもよい。なお、上述した本実施形態では発光デューティ値の最大値は５０％であるとしたが、スキャン制御部１４０を用いない本構成の場合、走査に応じて発光部を消灯する必要が無い。そのため、発光デューティ値の最大値を１００％とすることができる。
【００６８】
図９（ａ）に示すように、ＦＥＴスイッチＳＡ１は、開状態（ＯＦＦ状態）の期間、すなわち発光部ＬＡ１が発光する期間が、発光デューティ値である１００％となるように開閉状態が制御されている。ここで示すフレームＦ１〜Ｆ３では、ＦＥＴスイッチＳＡ１が開状態（ＯＦＦ状態）から閉状態（ＯＮ状態）となるタイミングは存在しない。しかし、発光デューティ値が１００％でない場合には、ＦＥＴスイッチＳＡ１が開状態（ＯＦＦ状態）から閉状態（ＯＮ状態）となるタイミングは、各フレームの開始タイミング（各フレームの終了タイミングでもある）で固定されている。また、ＦＥＴスイッチＳＡ１が閉状態から開状態となるタイミングは、発光デューティ値に基づいて制御される。
【００６９】
次に、図９（ｂ）に示すように、ＦＥＴスイッチＳＢ１は、開状態（ＯＦＦ状態）の期間、すなわち発光部ＬＢ１が発光する期間が、発光デューティ値である５０％となるように開閉状態が制御されている。このとき、ＦＥＴスイッチＳＢ１が開状態（ＯＦＦ状態）から閉状態（ＯＮ状態）となるタイミングは、ＦＥＴスイッチＳＡ１と同じ、各フレームの開始タイミングで固定されている。また、ＦＥＴスイッチＳＢ１が閉状態から開状態となるタイミングは、発光デューティ値に基づいて制御される。
【００７０】
次に、図９（ｃ）に示すように、ＦＥＴスイッチＳＣ１は、開状態（ＯＦＦ状態）の期間、すなわち発光部ＬＣ１が発光する期間が、発光デューティ値である７５％となるように開閉状態が制御されている。このとき、ＦＥＴスイッチＳＣ１が開状態（ＯＦＦ状態）から閉状態（ＯＮ状態）となるタイミングは、ＦＥＴスイッチＳＡ１、ＳＢ１と同じ、各フレームの開始タイミングで固定されている。また、ＦＥＴスイッチＳＣ１が閉状態から開状態となるタイミングは、発光デューティ値に基づいて制御される。
【００７１】
次に、図９（ｄ）に示すように、ＦＥＴスイッチＳＤ１は、開状態（ＯＦＦ状態）の期間、すなわち発光部ＬＤ１が発光する期間が、発光デューティ値である２５％となるように開閉状態が制御されている。このとき、ＦＥＴスイッチＳＤ１が開状態（ＯＦＦ状態）から閉状態（ＯＮ状態）となるタイミングは、ＦＥＴスイッチＳＡ１、ＳＢ１およびＳＣ１と同じ、各フレームの開始タイミングで固定されている。また、ＦＥＴスイッチＳＤ１が閉状態から開状態となるタイミングは、発光デューティ値に基づいて制御される。
【００７２】
上述したように、各フレームの開始タイミングで、各ＦＥＴスイッチは開閉状態が切り替わる。このとき、図９（ｅ）に示すように、定電流回路部１２０１は、フレームの開始タイミング毎に定電流の供給が停止（ＯＦＦ）しているように、駆動制御部１５０によって制御されている。すなわち、ＦＥＴスイッチＳＡ１〜ＳＤ１のいずれかが開状態から閉状態となるタイミングでは、定電流の供給が停止している。
【００７３】
定電流回路部１２０１が定電流の供給を停止しない場合、ＦＥＴスイッチＳＡ１〜ＳＤ１のいずれかが開状態から閉状態となると、急激な負荷変動に伴った突入電流が流れる。しかし、上述した制御によって、急激な電流の変動を抑制することができる。
【００７４】
なお、本実施の形態のバックライト装置および液晶表示装置は、４行４列の画像エリアおよび発光エリアを有する構成としたが、これらの数に限られず、行数列数を増加・削減してもよい。
【００７５】
（実施の形態３）
本発明の実施の形態３に係るバックライト装置および液晶表示装置について、図１０乃至図１１を用いて説明する。
【００７６】
本実施の形態は、実施の形態２が直下型のバックライト装置であったのに対して、いわゆるエッジ型のバックライト装置を用いている点が異なる。
【００７７】
図１０は、本実施の形態に係るバックライト装置１０１を備えた液晶表示装置２０の構成を示すブロック図である。液晶表示装置２０は、バックライト装置１０１と、バックライト装置１０１から出射した光を背面から入射して変調し、画像を表示する液晶パネル２０１と、を備えている。液晶パネル２０１の画像エリアは、４行１列の局所的な複数の画像エリアからなる。
【００７８】
面状照明部１１１は、液晶パネル２０１に画像を表示させるための照明光を発光し、液晶パネル２０１の背面側から液晶パネル２０１に照明光を照射する。面状照明部１１１の発光エリアは、４行１列の局所的な複数の発光エリアからなる。面状照明部１１１は、垂直方向に並べられた４つの導光板を備え、導光板の各々の端面から光を入射させるように発光部ＬＡ１、ＬＢ１、ＬＣ１、ＬＤ１が設けられている。また、各導光板の主面が、発光エリアＡ１、Ｂ１、Ｃ１、Ｄ１を形成する。各発光部は、それぞれ４つのＬＥＤを有している。
【００７９】
図１１は、ＬＥＤドライバ１２１の構成を示すブロック図である。なお、図１１における定電流回路部１２０１、電圧変換回路部１２１１、およびＦＥＴスイッチＳＡ１、ＳＢ１、ＳＣ１、ＳＤ１が、ＬＥＤドライバ１２１を構成している。
【００８０】
各々が４つのＬＥＤからなる発光部ＬＡ１、ＬＢ１、ＬＣ１、ＬＤ１は、直列に接続されている。発光部ＬＡ１、ＬＢ１、ＬＣ１、ＬＤ１は、発光エリアＡ１、Ｂ１、Ｃ１、Ｄ１にそれぞれ対応している。ＦＥＴスイッチＳＡ１、ＳＢ１、ＳＣ１、ＳＤ１は、発光部ＬＡ１、ＬＢ１、ＬＣ１、ＬＤ１にそれぞれ並列に設けられている。定電流回路部１２０１は、発光部ＬＡ１、ＬＢ１、ＬＣ１、ＬＤ１のカソード端に接続されている。また電圧変換回路部１２１１は、発光部ＬＡ１、ＬＢ１、ＬＣ１、ＬＤ１のアノード端に接続されている。定電流回路部１２０１、電圧変換回路部１２１１は、実施の形態２で示したものと同様である。
【００８１】
本実施の形態のＬＥＤドライバ１２１の動作は、実施の形態２で示す図７乃至９と同様である。従って、エッジ型のバックライト装置１０１を用いた場合であっても、急激な電流の変動を抑制することができるバックライト装置および液晶表示装置を実現することができる。
【００８２】
なお、本実施の形態のバックライト装置および液晶表示装置は、実施の形態２と同様に輝度制御部１３０とスキャン制御部１４０とをどちらも用いる構成としたが、一方だけを用いることもできる。
【００８３】
（実施の形態４）
本発明の実施の形態４に係るバックライト装置および液晶表示装置について、図１２乃至図１３を用いて説明する。
【００８４】
本実施の形態は、実施の形態３が一端のエッジにのみ光源が配置されるエッジ型のバックライト装置であったのに対して、対向する両端に光源が配置されるエッジ型のバックライト装置を用いている点が異なる。
【００８５】
図１２は、本実施の形態に係るバックライト装置１０２を備えた液晶表示装置３０の構成を示すブロック図である。液晶表示装置３０は、バックライト装置１０２と、バックライト装置１０２から出射した光を背面から入射して変調し、画像を表示する液晶パネル２０２と、を備えている。液晶パネル２０２の画像エリアは、４行２列の局所的な複数の画像エリアからなる。
【００８６】
面状照明部１１２は、液晶パネル２０２に画像を表示させるための照明光を発光し、液晶パネル２０２の背面側から液晶パネル２０２に照明光を照射する。面状照明部１１２の発光エリアは、４行２列の局所的な複数の発光エリアからなる。面状照明部１１２は、垂直方向に並べられた４つの導光板を２列並べて備え、各列の導光板の外側の端面から光を入射させるように発光部ＬＡ１、ＬＢ１、ＬＣ１、ＬＤ１、および発光部ＬＡ２、ＬＢ２、ＬＣ２、ＬＤ２が設けられている。また、各導光板の主面が、発光エリアＡ１、Ｂ１、Ｃ１、Ｄ１、および発光エリアＡ２、Ｂ２、Ｃ２、Ｄ２を形成する。各発光部は、それぞれ４つのＬＥＤを有している。
【００８７】
図１３は、ＬＥＤドライバ１２２の構成を示すブロック図である。なお、図１３における定電流回路部１２０１、１２０２、電圧変換回路部１２１１、１２１２、およびＦＥＴスイッチＳＡ１、ＳＢ１、ＳＣ１、ＳＤ１、ＳＡ２、ＳＢ２、ＳＣ２、ＳＤ２が、ＬＥＤドライバ１２２を構成している。
【００８８】
各々が４つのＬＥＤからなる発光部ＬＡ１、ＬＢ１、ＬＣ１、ＬＤ１は、直列に接続されている。発光部ＬＡ１、ＬＢ１、ＬＣ１、ＬＤ１は、発光エリアＡ１、Ｂ１、Ｃ１、Ｄ１にそれぞれ対応している。ＦＥＴスイッチＳＡ１、ＳＢ１、ＳＣ１、ＳＤ１は、発光部ＬＡ１、ＬＢ１、ＬＣ１、ＬＤ１にそれぞれ並列に設けられている。定電流回路部１２０１は、発光部ＬＡ１、ＬＢ１、ＬＣ１、ＬＤ１のカソード端に接続されている。また電圧変換回路部１２１１は、発光部ＬＡ１、ＬＢ１、ＬＣ１、ＬＤ１のアノード端に接続されている。定電流回路部１２０１、電圧変換回路部１２１１は、実施の形態２で示したものと同様である。
【００８９】
同様にして、各々が４つのＬＥＤからなる発光部ＬＡ２、ＬＢ２、ＬＣ２、ＬＤ２は、直列に接続されている。発光部ＬＡ２、ＬＢ２、ＬＣ２、ＬＤ２は、発光エリアＡ２、Ｂ２、Ｃ２、Ｄ２にそれぞれ対応している。ＦＥＴスイッチＳＡ２、ＳＢ２、ＳＣ２、ＳＤ２は、発光部ＬＡ２、ＬＢ２、ＬＣ２、ＬＤ２にそれぞれ並列に設けられている。定電流回路部１２０２は、発光部ＬＡ２、ＬＢ２、ＬＣ２、ＬＤ２のカソード端に接続されている。また電圧変換回路部１２１２は、発光部ＬＡ２、ＬＢ２、ＬＣ２、ＬＤ２のアノード端に接続されている。定電流回路部１２０２、電圧変換回路部１２１２は、実施の形態２で示したものと同様である。
【００９０】
本実施の形態のＬＥＤドライバ１２２の動作は、実施の形態２で示す図７乃至９と同様である。従って、対向する両端に光源が配置されるエッジ型のバックライト装置１０２を用いた場合であっても、急激な電流の変動を抑制することができるバックライト装置および液晶表示装置を実現することができる。
【００９１】
なお、本実施の形態のバックライト装置および液晶表示装置は、実施の形態２と同様に輝度制御部１３０とスキャン制御部１４０とをどちらも用いる構成としたが、一方だけを用いることもできる。
【００９２】
また、本実施の形態においては、直列接続された発光部は、導光板の左右端に位置し、列方向に異なる発光エリアに対応している。すなわち、直列接続された各発光部は、それぞれ異なるスキャンエリアに属するように構成されている。一方、図１４に示すように、直列接続された発光部を導光板の上下端に配置し、行方向に異なる発光エリアに対応させることもできる。すなわち、直列接続する発光部を、同一のスキャンエリアに属するように構成することもできる。通常のディスプレイ装置の場合、左右端よりも上下端の方が、長さが長くなる。そのため、上下端に配置する構成にすれば、光源であるＬＥＤをより多く配置することができる。すなわち、ＬＥＤ一個あたりの発光が同じであれば、バックライト装置としての発光輝度をより大きくすることができる。また、バックライト装置としての発光輝度が同じであれば、ＬＥＤ一個あたりの発光をより小さくすることができ、放熱の観点で好ましい。また、ＬＥＤの配置間隔を広げることもでき、放熱の観点で好ましい。
【００９３】
ただし、上下端に配置する構成、すなわち、直列接続された各発光部を同一のスキャンエリアに属するような構成にすると、直列接続された全ての発光部が同時に発光しない期間が所定時間以上存在する構成となる。全ての発光部が同時に発光しない場合には、定電流回路部は定電流を供給する必要は無く、定電流の供給を停止する。したがって、定電流の供給と停止の変動が大きくなる点では好ましくない。本実施の形態のように、直列接続された各発光部をそれぞれ異なるスキャンエリアに属するように構成することで、電流の変動を低減することができる。
【００９４】
また、実施の形態２乃至４のＬＥＤドライバは、電圧変換回路部を有する構成としたが、電圧変換回路部は必ずしも必須の構成ではない。ただし、電圧変換回路部を有する構成とすることで、電力損失を低減することができる。
【００９５】
また、本実施の形態３乃至４の発光部は、図面上４つのＬＥＤが正方配置されているが、このような配置に限られない。例えば、一列に並べて配置してもよい。また、ＬＥＤの個数は４つに限らず適宜変更が可能である。
【００９６】
以上、本発明に係る光源駆動装置、バックライト装置および液晶表示装置について、実施の形態に基づいて説明したが、本発明は、この実施の形態に限定されるものではない。本発明の趣旨を逸脱しない限り、当業者が思いつく各種変形を当該実施の形態に施したものや、異なる実施の形態における構成要素を組み合わせて構築される形態も、本発明の範囲内に含まれる。
【００９７】
つまり、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【産業上の利用可能性】
【００９８】
本発明は、液晶表示装置、バックライト装置およびそれらに用いられる光源駆動装置として好適である。
【符号の説明】
【００９９】
１、２  光源駆動装置
１０、２０、３０  液晶表示装置
１１  定電流回路部
１２  駆動制御部
１３Ａ〜１３Ｄ  発光部
１４Ａ〜１４Ｄ  ＦＥＴスイッチ部
１５  電圧変換回路部
１００、１０１、１０２  バックライト装置
１１０、１１１、１１２  面状照明部
１２０、１２１、１２２  ＬＥＤドライバ
１２０１、１２０２、１２０３、１２０４  定電流回路部
１２１１、１２１２、１２１３、１２１４  電圧変換回路部
１３０  輝度制御部
１４０  スキャン制御部
１５０、１５１、１５２  駆動制御部
２００、２０１、２０２  液晶パネル
３００  ソースドライバ
４００  ゲートドライバ
５００  液晶コントローラ
ａ１〜ａ４、ｂ１〜ｂ４、ｃ１〜ｃ４、ｄ１〜ｄ４  画像エリア
Ａ１〜Ａ４、Ｂ１〜Ｂ４、Ｃ１〜Ｃ４、Ｃ１〜Ｃ４  発光エリア
ＬＡ１〜ＬＡ４、ＬＢ１〜ＬＢ４、ＬＣ１〜ＬＣ４、ＬＤ１〜ＬＤ４  発光部
ＳＡ１〜ＳＡ４、ＳＢ１〜ＳＢ４、ＳＣ１〜ＳＣ４、ＳＤ１〜ＳＤ４  ＦＥＴスイッチ部
【図１】
2011249377.tif 000003
【図２】
2011249377.tif 000004
【図３】
2011249377.tif 000005
【図４】
2011249377.tif 000006
【図５】
2011249377.tif 000007
【図６】
2011249377.tif 000008
【図７】
2011249377.tif 000009
【図８】
2011249377.tif 000010
【図９】
2011249377.tif 000011
【図１０】
2011249377.tif 000012
【図１１】
2011249377.tif 000013
【図１２】
2011249377.tif 000014
【図１３】
2011249377.tif 000015
【図１４】
2011249377.tif 000016